(57)【要約】【課題】開封を簡単かつ確実に行えるようにする。【解決手段】リーダー部４０には、先端側から順に接着部４３、つまみ４５、破断線４７が設けられている。つまみ４５は、切れ込み４９内側部分により形成される。破断線４７は、つまみ４５の両袖内側から遮光紙２１の幅方向外側に向かって形成される。接着部４３は、リーダ部４０の先端と、破断線４７、切れ込み４９によって囲まれた部分によって形成される。接着部４３の巻き付け面の内側には、接着層４３ａが設けられている。未使用の遮光紙付き写真フイルム１１は、トレーラ部３０からスプールに巻き付けられ、接着層４３ａが外周に張り付けられて封印される。外周面に露呈したつまみ４５が引き上げられると、遮光紙２１は、接着部４３を残し破断線４７により幅方向に破断され開封される。【選択図】        図３
2004245968.tif 000002
【特許請求の範囲】
【請求項１】
帯状の写真フイルムと、この写真フイルムの少なくとも前後に設けられた遮光紙と、これらが巻き付けられるスプールとからなり、前記遮光紙のうち、外周側に巻き付けられた遮光紙の端部が巻き付け面に張り付けられて封印される写真用ロールフイルムにおいて、
前記写真フイルムの前側もしくは後側の少なくとも一方の遮光紙の端から順に、前記封印を行うために前記巻き付け面と遮光紙とを接着する接着部と、遮光紙に入れた切れ込みにより形成され、巻き付け方向とは反対の方向からつままれて引き上げられるつまみとを設け、前記つまみを引き上げ操作することによって、前記接着部を残し遮光紙が幅方向に破断され、開封されることを特徴とする写真用ロールフイルム。
【請求項２】
前記つまみが引き上げ操作されたときに、前記遮光紙が幅方向に破断しやすいように、前記つまみの両袖近傍から、前記遮光紙の幅方向外側へ向けて破断線を設けたことを特徴とする請求項１記載の写真用ロールフイルム。
【発明の詳細な説明】
【０００１】
【発明の属する技術分野】
本発明は、写真用ロールフイルムに関するものであり、さらに詳しくは、写真フイルムと、写真フイルムの少なくとも前後に設けられた遮光紙と、これらが巻き付けられるスプールとからなり、外周側に巻き付けられた遮光紙の端部が巻き付け面に張り付けられて封印される写真用ロールフイルムに関する。
【０００２】
【従来の技術】
ブローニータイプの写真用ロールフイルムは、約６ｃｍ幅の帯状の写真フイルムをスプールに巻き付けたもので、１２０タイプと２２０タイプのものが良く知られている。１２０タイプの写真用ロールフイルムは、写真フイルムよりも長い遮光紙を用い、写真フイルムの前後及びベース面全体を覆うことで、写真フイルムを光密に収納するものである。
【０００３】
一方、２２０タイプの写真用ロールフイルムは、遮光リーダ、遮光トレーラとよばれる遮光紙を写真フイルムの前後両側に接合することにより写真フイルムを光密に収納したものである。２２０タイプの写真用ロールフイルムは、１２０タイプの写真用ロールフイルムと比べ、写真フイルムの長さが約２倍となっている。
【０００４】
未使用の写真用ロールフイルムは、写真フイルムの後側に設けられた遮光紙からスプールに巻き付けられ、写真フイルムの前側に設けられた遮光紙の端部が接着性のテープによって巻き付け面に張り付けられて封印される。一方、撮影の際は、この封印が開封され、撮影の進行とともに、写真フイルムの前側に設けられた遮光紙から別のスプールに巻き付けられていく。撮影が終了して、写真フイルムの後側に設けられた遮光紙が巻き付けられると、この写真フイルムの後側に設けられた遮光紙の端部が接着性のテープまたは再湿活性接着性のテープによって巻き付け面に張り付けられ封印される。
【０００５】
下記特許文献１には、遮光紙の端部に接着材を塗工することによって、前記接着性のテープを使用しないで封印を行えるようにした写真用ロールフイルムが記載されている。この写真用ロールフイルムは、遮光紙の接着剤塗工部よりもさらに端に、接着剤を塗工しないつまみ部分が設けてあり、開封の際は使用者がこのつまみ部分をつまんで引き上げることによって開封し易いようになっている。
【０００６】
【特許文献１】
実公平６−８５９２号公報
【０００７】
【発明が解決しようとする課題】
しかしながら、上記公報記載の方法では、封印用に塗工する接着剤の接着強度が弱いと、移動時の接触などによって使用者が意図しないときに開封してしまうおそれがある。また、接着強度が強いと、接着部分が剥離して開封する前につまみ部分が破断してしまうといった問題があった。
【０００８】
本発明は、上記問題を解決するためになされたものであり、封印の強度を高めても、開封が簡単かつ確実にできるようにした写真用ロールフイルムを提供することを目的としている。
【０００９】
【課題を解決するための手段】
上記目的を達成するために、本発明の写真用ロールフイルムは、写真フイルムの前側もしくは後側の少なくとも一方の遮光紙の端から順に、封印を行うための接着部と、遮光紙に入れた切れ込みにより形成され、巻き付け方向とは反対の方向からつままれて引き上げられるつまみとを設け、つまみを引き上げ操作することによって、前記接着部を残し遮光紙が幅方向に破断され、開封されることを特徴としている。前記つまみの両袖近傍から遮光紙の幅方向に向けて破断線を設け、前記引き上げ操作の際に破断線により前記遮光紙が破断され、開封されるようにしてもよい。
【００１０】
【発明の実施の形態】
以下、本発明の写真用ロールフイルムについて、１２０タイプのブローニフイルムを用いて説明する。図１に示すように、写真用ロールフイルム（以下、ロールフイルムと称する。）１０は、遮光紙付き写真フイルム１１と、この遮光紙付き写真フイルム１１が巻き付けられるスプール１３とからなる。また、図２に示すように、スプール１３は、円筒形状の軸１５と、この軸１５の両端に設けられた遮光フランジ１７とからなり、軸１５の側面には、スリット１９が設けられている。
【００１１】
図３に、遮光紙付き写真フイルム１１を展開して、巻き付け面に対して外側から観察した図を示す。遮光紙付き写真フイルム１１は、遮光紙２１とその内側に配置された写真フイルム２３とからなり、写真フイルム２３の先端は、固着テープ２５によって遮光紙２１に固定されている。遮光紙２１は写真フイルム２３よりも長尺であり、遮光紙２１の後側を形成するトレーラ部３０及び、前側を形成するリーダ部４０は写真フイルム２３より突出している。
【００１２】
トレーラ部３０及び、リーダ部４０は、遮光紙付き写真フイルム１１がスプール１３に巻き付けられたときに、その外周を覆うように巻き付いて写真フイルム２３を光密に封印する。このため、トレーラ部３０及びリーダ部４０に十分な長さを確保できるように、遮光紙２１の長さが調節してある。
【００１３】
撮影終了後はトレーラ部３０がロールフイルム１０の外周に配置されるので、トレーラ部３０には遮光紙付き写真フイルム２３を巻き緩まないように封印するための接着テープ３１が設けてある。この接着テープ３１は、巻き付け面の内側に加湿により活性化する接着剤が塗布されており、撮影終了後にユーザーが接着剤塗布面を加湿することによって、トレーラー部３０の後端３３がロール状に巻かれた遮光紙付き写真フイルム１１の外周に張り付けられて封印される。
【００１４】
一方、ロールフイルム１０が未使用時に遮光紙付き写真フイルム１１はトレーラ部３０からスプール１３に巻き付けられる。トレーラ部３０は、後端３３がコ字形状に形成された係止部となっており、この係止部がスプール１３のスリット１９に挿入されることによって係止され、スプール１３に巻き付けられていく。遮光紙付き写真フイルム１１は、トレーラ部３０が巻き付けられた後に、写真フイルム２３を内側にするようにしてスプール１３に巻き付けられていき、最後にリーダ部４０が巻き付けられる。
【００１５】
リーダー部４０は、幅方向両端部から内側に向かってスロープ４１が形成され、先端部の幅が一段細くなっており、先端側から順に接着部４３、つまみ４５、破断線４７が設けられている。また、前記先端部の内側には略「コ」字形状をした切れ込み４９が形成されている。
【００１６】
接着部４３は、リーダ部４０の先端と、破断線４７、切れ込み４９によって囲まれた部分によって形成され、図示のように、リーダ部４０の最先端に位置している。接着部４３の一部で巻き付け面の内側には、熱により活性化する接着材の塗布された接着層４３ａが設けられている。トレーラ部３０から巻き付けられた遮光紙付き写真フイルム１１は、接着層４３ａが加熱され、ロール状に巻かれた遮光紙付き写真フイルム１１の外周に張り付けられて封印される。なお、接着部４３に塗布する接着剤としては、熱活性型の接着材以外にも周知の接着剤が使用できる。
【００１７】
つまみ４５は、切れ込み４９内側部分により形成され、その「コ」字形状の両端部はそれぞれ遮光紙２１の幅方向外側に向かってなだらかに広がっている。また、つまみ４５は、幅がスプール１３に設けられたスリット１９の幅よりも僅かに狭くなるように形成されている。開封の後、つまみ４５は、別のスプール１３のスリット１９に挿入されて係止され、遮光紙付き写真フイルム１１は、このつまみ４５から別のスプール１３に巻き付けられていく（図５参照）。
【００１８】
なお、未使用のロールフイルム１０では、外周面につまみ４５が配置されるが、切れ込み４９により接着部４３から切り離されたつまみ４５には、封印されても外周面に押さえつける力が及ばない。このため、つまみ４５は、未使用のロールフイルム１０の外周面から先端側が浮いた状態で露呈する（図１参照）。
【００１９】
破断線４７は、つまみ４５の両袖の内側から遮光紙２１の幅方向外側へ向けて設けられた切れ込みによって形成されている。破断線４７は、未使用のロールフイルム１０において、つまみ４５が引き上げ操作された場合に、遮光紙２１が接着部４３を残して幅方向にスムーズに破断され開封が行えるように、また、移動による接触などにより使用者が意図しないときに開封してしまわないように、その形状や切れ込みを設ける位置が調節されている。
【００２０】
以下本発明の作用について説明をする。図１に示すように、未使用のロールフイルム１０は、リーダ部４０の最先端部である接着部４３がロールフイルム１０の外周面に張り付けられ封印されている。ユーザーがこのロールフイルム１０を使用する際は、初めにこの封印を開封する。開封を行うには、ロールフイルム１０の外周面に設けられたつまみ４５を引き上げ操作すればよい。つまみ４５は、ロールフイルム１０の外周面に浮いた状態で露呈しており、簡単に引き上げ操作することができる。
【００２１】
図１に示す状態から、つまみ４５が引き上げ操作されて遮光紙付き写真フイルム１１が引き出されていく様子を図４、図５に示す。つまみ４５が引き上げられると、つまみ４５の両袖部分から遮光紙付き写真フイルム１１の巻き付け方向と反対側に開放力がかかる。さらに、つまみ４５を引き上げていくと、遮光紙２１が破れていく。
【００２２】
つまみ４５の両袖の巻き付け方向と反対側には、破断線４７が設けてあり、破れ目がこの破断線４７まで到達すると、遮光紙２１は接着部４３を残して幅方向に破断されて開封される。このとき、つまみ４５の両袖のさらに内側から遮光紙の幅方向外側へ向けて破断線４７を設けたので、遮光紙２１を確実に幅方向に破断することができる。
【００２３】
図４（ａ）に示すように、破断線４７より幅方向に破断されたリーダ部４０は、つまみ４５を新たな先端部分として引き出されていく。なお、遮光紙２１を破断することにより、接着部４３を剥離しないで開封を行うようにしたので、同図（ｂ）に示すように、接着部４３は開封後も遮光紙付き写真フイルム２３の外側に接着されている。この後、図５に示すように、つまみ４５は別のスプール１３のスリット１９に挿入されて係止され、遮光紙付き写真フイルム１１は、別のスプール１３に対し、巻き付けられながら撮影が行われる。
【００２４】
切り込みによるつまみを設けたので、つまみは浮いた状態で露呈しており、ユーザーがつまみやすく開封が容易である。また、接着部よりも内側につまみを設け、開封の際は接着部を剥離せずに、接着部は接着されたままで遮光紙が破断されるようにした。このため、接着部の接着強度の調節をする必要が無く、接着強度を強くしても、開封の時につまみだけがとれてしまうといったことがない。また、このような構成にするために切れ込みを入れる工程が必要となるが、この工程はリーダー部の先端を切断する工程と同工程で行うことができ、生産コストが増加してしまうこともない。
【００２５】
本発明は、遮光紙の端から順に接着部と、つまみを設け、このつまみを引き上げることによって遮光紙が幅方向に破断されて開封されればよいので、リーダ部４０先端側に設けられた各部材の形状は上記実施形態のものに限られない。つまみの形状としては、例えば、図６（ａ）に示すように、略Ｕ字形状の切れ込み６０によりつまみ６１を形成するようにしてもよいし、同図（ｂ）に示すように、略台形状の切れ込み６３によりつまみ６５を形成するようにしてもよい。なお、図６以降の図面において、上述した実施形態で使用した部材と同一の部材については同一の符号を付して説明を行う。
【００２６】
また、破断線の形状としては、例えば、図７（ａ）に示すように、ミシン目状の切れ込みによって破断線７３を形成するようにしてもよいし、同図（ｂ）に示すように、複数の切れ込みよって破断線７７を形成するようにしてもよい。さらに、図８に示すように、スロープを設けずに、切れ込み４９により形成されるつまみ４５と、破断線８０、及び、接着部８１によりリーダ部４０の先端部を構成しても本発面は実施可能である。
【００２７】
上記実施形態では、リーダー部のみにつまみを設ける例で説明をしたが、本発明はこれに限られない。図９に示すように、トレーラ部３０にも同様の切れ込み９０により形成されるつまみ９１や、破断線９３を設けてもよい。このように、トレーラ部３０もリーダー部４０と同様の構成にすることによって、撮影終了後に封印を行う接着テープ３１を開封の際に剥離させる必要が無くなり、接着テープ３１による接着強度を強くできる。また、つまみ９１を引き上げ操作することによって現像時などにおいて、簡単かつ確実に開封が行えるようになる。
【００２８】
また、上記実施形態では、１２０タイプのロールフイルムを例に説明をしたが、本発明はこれに限られない。２２０タイプのロールフイルムにおいても適用可能である。
【００２９】
【発明の効果】
以上詳細に説明したように、本発明の写真用ロールフイルムは、遮光紙の端から順に、封印を行うために巻き付け面と遮光紙とを接着する接着部と、遮光紙に入れた切れ込みにより形成され、巻き付け方向とは反対の方向からつままれて引き上げられるつまみとを設け、前記つまみを引き上げ操作することによって、前記接着部を残し遮光紙が幅方向に破断され、開封されるようにしたので、封印の強度を高めても、開封が簡単にできる。
【００３０】
また、本発明の写真用ロールフイルムは、つまみが引き上げ操作されたときに、遮光紙が幅方向に破断しやすいように、つまみの両袖近傍から、遮光紙の幅方向外側へ向けて破断線を設けたので、つまみの引き上げ操作によって間違いなく開封が行える。
【図面の簡単な説明】
【図１】ロールフイルムの外観斜視図である。
【図２】スプールの外観斜視図である。
【図３】遮光紙付き写真フイルムの展開図である。
【図４】遮光紙付き写真フイルムがスプールから引き出されていく様子を表す説明図である。
【図５】遮光紙付き写真フイルムが別のスプールに巻き付けられることを表す説明図である。
【図６】つまみの形状の例を表す説明図である。
【図７】破断線の形状の例を表す説明図である。
【図８】遮光紙の先端部分の形状の例を表す説明図である。
【図９】トレーラ部に本発明を適用した場合を表す説明図である。
【符号の説明】
１０  ロールフイルム
１１  遮光紙付き写真フイルム
１３  スプール
１９  スリット
２１  遮光紙
２３  写真フイルム
３０  トレーラ部
３１  接着テープ
４０  リーダ部
４１  スロープ
４３、８１  接着部
４３ａ  接着層
４５、６１、６５、９１  つまみ
４７、７３、７７、８０、９３  破断線
４９、６０、６３、９０  切れ込み
【図１】
2004245968.tif 000003
【図２】
2004245968.tif 000004
【図３】
2004245968.tif 000005
【図４】
2004245968.tif 000006
【図５】
2004245968.tif 000007
【図６】
2004245968.tif 000008
【図７】
2004245968.tif 000009
【図８】
2004245968.tif 000010
【図９】
2004245968.tif 000011